(57)【特許請求の範囲】
【請求項１】
内部に電装部品を収容した箱体状のサブラックと、前面開口から内部へ向けて挿入した該サブラックの後部が内奥部に達した時にサブラックのセットを完了する収容部を備えたラック本体と、を備えた多段ラックであって、
前記サブラックの内奥部には前記電装部品側のコネクタと接続される内側コネクタを内面に備え、且つ該内側コネクタと対応する外面に外側コネクタを備えたバックワイヤボードが固定されているものにおいて、
前記バックワイヤボードの外側コネクタは、夫々バックワイヤボードの外面に立設された複数のコネクタピン群と、該コネクタピン群を囲繞した状態で該外面に固定されるコネクタ枠体と、から成り、
前記コネクタ枠体は、一方の側壁の内壁に沿ってコネクタ枠体ごとに異なった形状、位置を有した切欠き、或いは／及び、厚肉部を備えることにより、この内壁形状に整合した形状を有した前記外部ケーブルコネクタだけを専用的に接続可能としており、
前記バックワイヤボードの外面に立設した各コネクタピン群に対して適合しない誤った形状のコネクタ枠体を装着することを防止する為の誤接続防止表示を、前記バックワイヤボードの外面上の各コネクタピン群の外周縁に沿って印刷し、
前記誤接続防止表示は、前記各コネクタ枠体の内壁の切欠き、或いは／及び、厚肉部の特徴的な形状、或いは前記各コネクタ枠体の内壁の外形輪郭を表示する構成を有することを特徴とするコネクタの誤接続防止表示。
【請求項２】
前記誤接続防止表示に従ってコネクタ枠体をバックワイヤボード外面に装着したときに、装着状態にあるコネクタ枠体の側壁よりも外側に誤接続防止表示の一部を露出させることにより、該露出した部分と該コネクタ枠体の形状とを比較可能に構成したことを特徴とする請求項１に記載のコネクタの誤接続防止表示。
【請求項３】
前記誤接続防止表示は、前記バックワイヤボード外面に装着された前記コネクタ枠体の外形輪郭を示す外形表示線と、該外形表示線に沿って形成された前記各コネクタ枠体の内壁の切欠き、或いは／及び、厚肉部の特徴的な形状を表示する太線表示と、から構成されていることを特徴とする請求項１、又は２に記載のコネクタの誤接続防止表示。
【発明の詳細な説明】
【０００１】
【発明の属する技術分野】
本発明は通信機器に使用される多段ラック等におけるコネクタの誤接続防止表示に関し、例えば多数のプリント基板を収容した箱体状のサブラックをラック本体内の多段状の収容部内に引き出し式に収納した多段ラックにおいて、収容部内に収容されたサブラックの後面に位置するバックワイヤボードに対するコネクタ枠体の誤接続を防止するコネクタの誤接続防止表示に関する。
【０００２】
【従来の技術】
通信機器、例えばデジタル通信回線の多重分離装置等は、図６、図７に示すようにラック本体１内に備えた複数の収容部２内に引出し式のサブラック１０を収容固定した構成を備えている。ラック本体１の前面には必要に応じて仕切部材３が所定間隔で配置され、仕切部材３間に画成された収容部２の両側壁の内壁にはサブラック本体１０を引出し式に着脱可能とするための図示しないガイド部材が設けられている。各収容部２に対応するラック本体１の背面は少なくとも一部が開放しており、該開放部から各収容部内に装着したサブラック１０の背面が露出した状態となり、サブラック１０の背面に設けたコネクタピン群２５がコネクタ枠体（アダプタ）２７を介する等して外部ケーブルコネクタ２６と着脱自在に接続される。外部ケーブルコネクタ２６は、同一のサブラックの他のコネクタピン群２５との間、或は他のサブラックとの間、或は外部機器との間を接続する手段である。
サブラック１０は、後面を構成するバックワイヤボード１１と、バックワイヤボード１１の左右両端縁から前方へ突出固定された側板１２、１３、更には底板１４、前枠１５等を有し、サブラック１０の前面開口からは電装部品等を搭載した複数のプリント基板１６が平行に差込み装着される。各プリント基板１６の奥端部にはコネクタ１６ａが設けられ、バックワイヤボード１１の前面に設けた内側コネクタ１７と接続される。サブラック１０の前面開口は図示しない前蓋により閉止され、前蓋１９は前枠１５に設けたネジ穴１５ａを利用してネジ止め固定される。サブラック１０の底面を構成する底板１４、或は上面を構成する天板１８には、例えばサブラック内の通気性を確保する為のパンチ穴やメッシュ部が形成される。
【０００３】
符号２０はサブラック１０の両側板１２、１３の外側面前部に固定された固定用ブラケットであり、固定用ブラケット２０は各側板１２、１３にネジ等により固定される基部２０ａと、基部２０ａから直角に屈曲した固定片２０ｂと、固定片２０ｂに形成した穴２０ｃとを有している。サブラック１０を収容部２の前面開口から引出し式に差し込んで、サブラックの奥端部を収容部２の奥部にまでセットした状態では、固定用ブラケット２０の固定片２０ｂに設けた穴２０ｃがラック本体１の縦架１ａに設けた固定穴１ｂと連通状態となるように予め設計されている為、両穴２０ｃと１ｂをネジ２１により固定することにより、サブラック１０の固定が完了する。
サブラック１０を対応する収容部２内にセットしてから、各サブラック１０の後面に位置するコネクタピン群２５をケーブル２６の先端に設けたコネクタ２６ａと接続する作業が実施される。コネクタピン群２５は内側コネクタ１７側の図示しないコネクタピン群と対応して配置されており、コネクタピン群２５とこれを囲繞するコネクタ枠体２７とは、外側コネクタ３０を構成している。コネクタ枠体２７は、その枠体本体３１と、枠体本体３１の長手方向両端部底部に突設された弾性係止手段３２と、から成り、弾性係止手段３２をバックワイヤボード１１の各コネクタピン群２５に設けた係止穴（図９参照）内に係止することによって固定される。
【０００４】
ところで、各外側コネクタ３０を構成する各コネクタ枠体２７は、これと接続される外部ケーブルコネクタ２６との関係でその形状が一様ではない。即ち、外部ケーブルコネクタ２６と外側コネクタ３０との誤接続を防止する為に、各コネクタ枠体２７の形状は、対応する外部ケーブルコネクタ２６以外には接続できないように異なった形状に構成している。図８(a)及び(b)はコネクタ枠体の内壁の形状を異ならせた場合を示しており、これらの内壁形状と異なる形状の嵌合部を備えた外部ケーブルコネクタ２６は接続が不可能となっている。
しかし、バックワイヤボード１１の外側面に設けた係止穴の位置が全てのコネクタピン群２５について同一であるため、各係止穴に対してコネクタ枠体２７の弾性係止手段３２を固定する際に、誤装着が発生し易かった。コネクタ枠体２７を対応しないコネクタピン群２５に対して取り付けた場合には、誤装着したコネクタ枠体２７に対応する外部ケーブルコネクタ２６が接続可能となる為、これが結果として外部ケーブルコネクタ２６の誤接続を惹起する原因となる。
このような誤接続を防止する為、従来図９に示すようにバックワイヤボード１１の外側面の各コネクタピン群２５の外周位置に枠状の印刷３５と、コネクタ枠体の形式を示す文字Ａ１、Ａ２等を設けていたが、この程度の識別表示では誤接続を完全になくすことは困難であった。符号３６は、係止穴である。
【０００５】
【発明が解決しようとする課題】
本発明が解決しようとする課題は、多数のプリント基板を収容した箱体状のサブラックをラック本体内の多段状の収容部内に引き出し式に収納した多段ラックにおいて、収容部内に収容されたサブラックの後面に位置するバックワイヤボードに対するコネクタ枠体の誤接続を防止するコネクタの誤接続防止表示を提供することにある。
【０００６】
【課題を解決するための手段】
上記課題を達成するため、請求項１の発明は、内部に電装部品を収容した箱体状のサブラックと、前面開口から内部へ向けて挿入した該サブラックの後部が内奥部に達した時にサブラックのセットを完了する収容部を備えたラック本体と、を備えた多段ラックであって、前記サブラックの内奥部には前記電装部品側のコネクタと接続される内側コネクタを内面に備え、且つ該内側コネクタと対応する外面に外側コネクタを備えたバックワイヤボードが固定されているものにおいて、前記バックワイヤボードの外側コネクタは、夫々バックワイヤボードの外面に立設された複数のコネクタピン群と、該コネクタピン群を囲繞した状態で該外面に固定されるコネクタ枠体と、から成り、前記コネクタ枠体は、一方の側壁の内壁に沿ってコネクタ枠体ごとに異なった形状、位置を有した切欠き、或いは／及び、厚肉部を備えることにより、この内壁形状に整合した形状を有した前記外部ケーブルコネクタだけを専用的に接続可能としており、前記バックワイヤボードの外面に立設した各コネクタピン群に対して適合しない誤った形状のコネクタ枠体を装着することを防止する為の誤接続防止表示を、前記バックワイヤボードの外面上の各コネクタピン群の外周縁に沿って印刷し、前記誤接続防止表示は、前記各コネクタ枠体の内壁の切欠き、或いは／及び、厚肉部の特徴的な形状、或いは前記各コネクタ枠体の内壁の外形輪郭を表示する構成を有することを特徴とする。
請求項２の発明は、前記誤接続防止表示に従ってコネクタ枠体をバックワイヤボード外面に装着したときに、装着状態にあるコネクタ枠体の側壁よりも外側に誤接続防止表示の一部を露出させることにより、該露出した部分と該コネクタ枠体の形状とを比較可能に構成したことを特徴とする。
請求項３の発明は、前記誤接続防止表示は、前記バックワイヤボード外面に装着された前記コネクタ枠体の外形輪郭を示す外形表示線と、該外形表示線に沿って形成された前記各コネクタ枠体の内壁の切欠き、或いは／及び、厚肉部の特徴的な形状を表示する太線表示と、から構成されていることを特徴とする。
【０００７】
【発明の実施の形態】
以下、本発明を図面に示した実施の形態例により詳細に説明する。
図１はサブラックのバックワイヤボードの外側面に形成された本発明に係るコネクタの誤接続防止表示を示す例であり、図２は使用するコネクタ枠体の構成例を示す図であり、図３はバックワイヤボードの外側面に設けた誤接続防止表示に従ってコネクタ枠体を装着した状態を示す図である。
なお、図６、図７に示した構成及び符号を流用しつつ説明する。
図１に示すサブラック１０の背面を構成するバックワイヤボード１１の外側面上には所定の配置でコネクタピン群２５が突設されており、各コネクタピン群２５間の境界を画すると共に、装着されたコネクタ枠体の外径輪郭を示す外形表示線４０が印刷等によって表示されている。
本発明の特徴的な構成は、この外形表示線４０に沿って装着すべきコネクタ枠体２７の形状の違いに応じて、形状の違いを明確に表す誤接続防止表示４１を印刷等によって形成した点にある。
例えば、図２に示した３種類のコネクタ枠体２７Ａ，２７Ｂ，２７Ｃは、いずれも内壁の形状が異なっており、一方の側壁の内壁に沿って切欠き４５或は厚肉部４６を任意の配置で設けることにより、該一方の内壁の形状を他のコネクタ枠体と異ならせている。このようにコネクタ枠体２７の内壁形状を異ならせることにより、この内壁形状に整合した形状を有した外部ケーブルコネクタ２６だけが専用的に接続可能となり、誤接続防止を図っている。しかし、上述の如く、内壁の形状が異なるコネクタ枠体は、いずれもバックワイヤボード１１に設けた係止穴３６（図９）内に係着可能な弾性係止手段を有している為、コネクタ枠体を誤って取り付けする事態が多発する。
【０００８】
本発明では、図１に示したように各コネクタ枠体２７Ａ，２７Ｂの内壁の厚肉部４６の位置を反映する太線の表示（誤接続防止表示）５０を上記外形表示線４０上に印刷等によって形成しておくことにより、一目で外形表示線４０内に装着すべきコネクタ枠体の種類、形状を識別し、誤りなく装着できるようにしている。勿論、太線表示５０を赤色等の目立つ色に着色してもよい。
なお、切欠き４５と厚肉部４６を一方の側壁の内壁のみに設けたのは、両側壁に設けるとコネクタ枠体装着時に左右方向、上下方向の判別が困難化するからである。
また、この太線表示５０は外形表示線４０よりも外側に一部がはみ出すように形成することにより、図３のようにコネクタ枠体２７を所定位置に装着したときに太線表示５０の一部がコネクタ枠体２７の一方の側壁の外側からはみ出して視認することが可能となる。このため、コネクタ枠体をある外形表示線４０に沿って装着したときに、その一方の内壁に形成した厚肉部４６と、側壁からはみ出した太線表示５０とを照合することにより、両者が対応していれば正しい位置に装着したことを確認でき、逆に両者が不対応である場合には誤装着であることが確認できる。
なお、この例では、図２に示したコネクタ枠体２７Ｃと対応する太線表示を備えた外形表示線４０が存在しないので、このコネクタ枠体２７Ｃを太線表示を有しない外形表示線４０により示された部分に装着する。
なお、図１では図示の都合上、係止穴を表示しておらず、また図２中にも弾性係止手段を図示していない。
【０００９】
次に、図４(a)(b)は図２に例示した３種類のコネクタ枠体２７Ａ、２７Ｂ、２７Ｃの装着位置を識別表示するための誤接続防止表示の例を示しており、(a)は各コネクタ枠体２７Ａ、２７Ｂ、２７Ｃの外径輪郭を表した誤接続防止表示６０であり、少なくとも厚肉部４６に相当する部分６０ａを実際の輪郭線よりも外側へはみ出すように構成することにより、図３に示した例と同様にコネクタ枠体を装着した状態で装着位置に適否を確認できる。
図４(b)は他の例であり、外形表示線４０に沿って、切欠き４５に相当する位置を正方形により示すと共に、小突起証の厚肉部４６を丸にて示している。
次に、図５(a)(b)及び(c)は図２に示した各コネクタ枠体を、切欠きや厚肉部の位置等に関係なく、格別の識別表示手段によって識別表示した例を示している。
例えば、図５(a)及び(b)は夫々線パターンＡ、Ｂ、Ｃによって対応するコネクタ枠体２７Ａ、２７Ｂ、２７Ｃの装着位置を示す例であり、これらは同時に誤接続防止表示を構成している。(c)は一部塗りパターンＡ、Ｂ、Ｃによって対応するコネクタ枠体２７Ａ、２７Ｂ、２７Ｃの装着位置を示す例である。
或は、上記各誤接続防止表示と併せて、或は各誤接続防止表示とは別に、あるコネクタ枠体と、これと対応する外形表示線４０とを同色とすることによって色による識別を行うようにしてもよい。
このようにバックワイヤーボードに各種コネクタ枠体の形状の違いを識別し易くする為の誤接続防止表示を設けたので、装着位置、装着方向を誤ることなく、コネクタ枠体を装着することができる。このため、バックワイヤボードに装着した外側コネクタの誤接続がなくなり、この外側コネクタに装着する外部ケーブルコネクタの取付けも間違いなく行うことが可能となる。特に、各コネクタ枠体を装着した後も、誤接続防止表示の一部がコネクタ枠体の側面よりも外側へはみ出して視認可能な状態となっているので、装着済みのコネクタ枠体の形状と照合し、取付け状態の良否を確認でき、誤装着を速やかに発見し、修正することが容易となる。
このような構成とすることにより、仕様書を見ながらコネクタ枠体を組み付けるという従来の煩雑な作業が解消される。
【００１０】
【発明の効果】
以上のように本発明によれば、多数のプリント基板を収容した箱体状のサブラックをラック本体内の多段状の収容部内に引き出し式に収納した多段ラックにおいて、収容部内に収容されたサブラックの後面に位置するバックワイヤボードに対するコネクタ枠体の誤装着を防止することができる。
即ち、バックワイヤボードには外部ケーブルコネクタを着脱する為に多数の外側コネクタが装備されるが、各外側コネクタに対して各外部ケーブルコネクタを接続する際の誤接続を防止する為に、各外側コネクタを構成するコネクタ枠体の形状を異ならせてある。一方、各コネクタ枠体はバックワイヤボード上のどの位置であっても装着可能となるように取付け部の形状が統一されているので、コネクタ枠体を誤った位置に装着すると、外部ケーブルコネクタの誤接続が発生することとなる。
このような不具合を解消する為に本発明では、バックワイヤボード上のコネクタ枠体の装着位置に、予めコネクタ枠体の形状の違いを表示する為の誤接続防止表示を設けておき、この表示によって示される形状を有したコネクタ枠体を当該位置に装着すれば誤接続が発生しないように構成したので、正確且つ容易な装着作業が可能となる。
また、コネクタ枠体を所要位置に装着した後においても、誤接続防止表示の一部がコネクタ枠体の側面よりはみ出した状態となるように構成すれば、装着後に誤接続の有無を目視確認することができる。
【図面の簡単な説明】
【図１】サブラックのバックワイヤボードの外側面に形成された本発明に係るコネクタの誤接続防止表示を示す例の説明図。
【図２】使用するコネクタ枠体の構成例を示す図。
【図３】バックワイヤボードの外側面に設けた誤接続防止表示に従ってコネクタ枠体を装着した状態を示す図。
【図４】  (a)及び(b)は図２に例示した３種類のコネクタ枠体の装着位置を識別表示するための誤接続防止表示の例を示す図。
【図５】  (a)(b)及び(c)は図２に示した各コネクタ枠体を、切欠きや厚肉部の位置等に関係なく、格別の識別表示手段によって識別表示した例を示した図。
【図６】従来の多段ラックの構成を示す斜視分解図。
【図７】従来のサブラックの背面構成を示す斜視図。
【図８】  (a)及び(b)はコネクタ枠体の内壁の形状を異ならせた場合を示す図。
【図９】従来のバックワイヤボードの構成図。
【符号の説明】
１  ラック本体、２  収容部、１０  サブラック、１１  バックワイヤボード、１２、１３  側板、１４  底板、１５  前枠、１６  プリント基板、１６ａ  コネクタ、１７  内側コネクタ、１８  天板、１９  前蓋、２０  固定用ブラケット、２５  コネクタピン群、２６  外部ケーブルコネクタ、２７  コネクタ枠体（アダプタ）、３０  外側コネクタ、３１  枠体本体、３２  弾性係止手段、４０  外形表示線、４１  誤接続防止表示、４５  切欠き、４６  厚肉部、５０太線表示（誤接続防止表示）、６０  誤接続防止表示、６０ａ  厚肉部に相当する部分。
【図１】
0004418859.tif 000002
【図２】
0004418859.tif 000003
【図３】
0004418859.tif 000004
【図４】
0004418859.tif 000005
【図５】
0004418859.tif 000006
【図６】
0004418859.tif 000007
【図７】
0004418859.tif 000008
【図８】
0004418859.tif 000009
【図９】
0004418859.tif 000010